(57)【要約】【課題】  デジタル放送を受信するデジタル放送受信装置において、課金放送を受信可能なデジタル回路基板と、課金放送を受信できないデジタル回路基板とに共通なＡＶ回路基板を用いることにより、複数種のＡＶ回路基板を製作する必要が無く、コストを削減することが出来るデジタル放送受信装置及び電子機器を提供する。【解決手段】  ＡＶ回路基板１０の回路構成は複数のデジタル回路基板２０、３０と互換性を持たせて共通化すると共に、下側に配置される課金放送を受信できないデジタル回路基板２０に載置する縦型チューナー２６の上方の突き出しは、前記縦型チューナー２６の突き出し部と接触するＡＶ回路基板１０の一角に割基板１４を設けて切り欠き形状とすることにより、前記ＡＶ回路基板１０と前記課金放送を受信できないデジタル回路基板２０は２層配置可能としＡＶ回路基板１０の共通化を図った。【選択図】      図１
2006129167.tif 000002
【特許請求の範囲】
【請求項１】
載置した電子部品に電源を供給する電源部と、他の電子機器との接続に供するジャックを備えるジャック部と、前記ジャック部から入力されたアナログ映像音声信号とデジタル映像音声信号から所定の映像音声信号を選択する信号切換え部と、前記信号切換え部から入力されたアナログ音声信号とデジタル音声信号から所定の音声信号を選択する音声切換え部とを備えたＡＶ回路基板と、このＡＶ回路基板と複数種のデジタル回路基板と組み合わせて接続することにより複数種のデジタル放送受信回路を構成すると共に、前記ＡＶ回路基板の一角には分離が可能な割基板が配置されており、縦型チューナーを配置した課金放送を受信できないデジタル回路基板を下側に、前記ＡＶ回路基板を上側とした２層配置に組み合わせて回路構成するときは、前記割基板を分離した切り欠き部から下側の課金放送を受信できないデジタル回路基板に配置した縦型チューナーが突き出すように配置して組み合わせ、電気的に接続することにより回路構成して課金放送を受信できないデジタル放送受信回路を構成し、課金放送受信部を備えて横型チューナーを配置した課金放送を受信可能なデジタル回路基板と、前記割基板有するＡＶ回路基板とが重なるように組み合わせて電気的に接続することにより、課金放送を受信可能なデジタル放送受信回路を構成すると共に、他の電子機器とのデジタル接続のための接続機能を備えるデジタルインターフェイス部と、前記信号切換え部から入力された映像信号の補正を行なう映像補正部と、これら各部の制御を行なうマイコン部は、前記ＡＶ回路基板、または前記課金放送を受信できないデジタル回路基板、あるいは課金放送を受信可能なデジタル回路基板のいずれかに配置可能とすることを特徴とする共通のＡＶ回路基板を備えたデジタル放送受信装置及び電子機器。
【請求項２】
前記課金放送を受信できないデジタル回路基板は、該デジタル回路基板に電源を供給する電源部と、受信したアナログ放送とデジタル放送の受信信号をアナログ映像音声信号とデジタル映像音声信号に変換する縦型のアナログ／デジタルチューナーと、前記ＡＶ回路基板に配置された映像補正部から入力されたアナログ映像信号をデジタル映像信号に変換する信号変換部と、デジタル放送の映像音声信号の復号を行なうと共に該映像信号の画像の大きさを調整する映像処理部と、前記映像処理部に使用されＯＳやソフトの保存を行なう第１のメモリーと、前記第１のメモリーに保存されているソフトの作業領域や映像の置換を行なう第２のメモリーと、他のデジタル電子機器との接続に供するジャックを配置したジャック部とを備え、前記ＡＶ回路基板と電気的に接続することにより課金放送を受信できないデジタル放送受信回路を構成することを特徴とする請求項１記載の共通のＡＶ回路基板を備えたデジタル放送受信装置及び電子機器。
【請求項３】
前記課金放送を受信可能なデジタル回路基板は、該デジタル回路基板に電源を供給する電源部と、受信したアナログ放送とデジタル放送の受信信号をアナログ映像音声信号とデジタル映像音声信号に変換する横型のアナログ／デジタルチューナーと、課金放送用のユーザーカードの挿入部を備えると共に課金放送の復号を行なう課金放送受信部と、前記ＡＶ回路基板に配置された映像補正部から入力されたアナログ映像信号をデジタル映像信号に変換する信号変換部と、デジタル放送の映像音声信号の復号を行なうと共に該映像信号の画像の大きさを調整する映像処理部と、前記映像処理部に使用されＯＳやソフトの保存を行なう第１のメモリーと、前記第１のメモリーに保存されているソフトの作業領域や映像の置換を行なう第２のメモリーと、他のデジタル電子機器との接続に供するジャックを配置したジャック部とを備え、前記ＡＶ回路基板と電気的に接続することにより課金放送を受信可能なデジタル放送受信回路を構成することを特徴とする請求項１記載の共通のＡＶ回路基板を備えたデジタル放送受信装置及び電子機器。
【発明の詳細な説明】
【技術分野】
【０００１】
本発明は、デジタル放送を受信するデジタル放送受信装置において、課金放送を受信可能なデジタル回路基板と、課金放送を受信できないデジタル回路基板とに共通なＡＶ（Ａｕｄｉｏ  ａｎｄ  Ｖｉｓｕａｌ）回路基板を用いることにより、複数種の前記ＡＶ回路基板を製作する必要が無く、該ＡＶ回路基板に載置される電子部品の共通化も併せて図ることにより、電子部品の材料管理や前記ＡＶ回路基板の実装作業を効率化することを可能とし、コストを削減することが出来る共通のＡＶ回路基板を備えたデジタル放送受信装置及び電子機器に関する。
【背景技術】
【０００２】
従来から、デジタル放送を受信する受信装置においては、課金放送を受信するには課金放送受信部を配置したデジタル回路基板と、課金放送を受信できないデジタル回路基板とは各々に専用のＡＶ回路基板が複数種設計されることにより、該設計に基づき複数種の前記ＡＶ回路基板を製作する必要が生ずることから、前記複数種のＡＶ回路基板の設計をするための設計負荷や、電子部品の種類が多くなってしまうことによる部品管理負荷、及び複数種のＡＶ回路基板を実装する実装負荷、更には複数種のＡＶ回路基板の品質を管理して維持する品質管理負荷などが必要であり、該複数のＡＶ回路基板と前記複数種のデジタル回路基板との組み合わせによる組み立て作業負荷も必要としており、これらの負荷がコストを引き上げる要因のひとつとなっていた。また、前記デジタル回路基板は一般に概ね６層に積層された多層基板材が使用されるようなことが多く、前記多層基板材は高価なため使用面積は極力少なくする努力が払われている。
【０００３】
このようなデジタル放送受信装置については、例えば従来技術として特許文献１には、デジタルテレビとデジタルテレビセットトップボックス相互に共通する回路部品を搭載する第１の基板と、各々の用途に応じて回路部品を搭載する第２の基板と、第１の基板及び第２の基板を相互に電気的に接続する接続配線体とからなっている。第１の基板は、チューナと、チューナで受信した信号をデジタル処理するデジタル処理回路とが備えられ、接続配線体にそれぞれ接続される接続部が一側縁部に設けられていて、デジタルテレビとデジタルテレビセットボックスに共用される。第２の基板の一側縁部には、接続配線体にそれぞれ接続される接続部が設けられることにより、用途が異なる受信装置に組み込まれ、全体として設計効率の向上や部品点数の削減を図った基板配線体を提供する方法が開示されている。
【０００４】
【特許文献１】特開２００３−６１００９号公報
【発明の開示】
【発明が解決しようとする課題】
【０００５】
本発明は、従来技術において、前記デジタル放送を受信する受信装置において、課金放送を受信可能なデジタル回路基板と、課金放送を受信できないデジタル回路基板とに共通使用が可能なＡＶ回路基板を設計することにより、該設計に基づき共通に使用可能なＡＶ回路基板を製作するだけで、前記複数種のＡＶ回路基板の設計をするための設計負荷や、電子部品の種類が多くなってしまうことによる部品管理負荷、及び複数種のＡＶ回路基板を実装する実装負荷、更には複数種のＡＶ回路基板の品質を管理して維持する品質管理負荷などが不要となり、該複数のＡＶ回路基板と前記複数種のデジタル回路基板との組み合わせによる組み立て作業負荷も軽減することにより、これらの負荷によるコストを引き下げることを可能とする共通のＡＶ回路基板を備えたデジタル放送受信装置及び電子機器を得るものである。
【課題を解決するための手段】
【０００６】
請求項１の共通のＡＶ回路基板を備えたデジタル放送受信装置及び電子機器は、載置した電子部品に電源を供給する電源部と、他の電子機器との接続に供するジャックを備えるジャック部と、前記ジャック部から入力されたアナログ映像音声信号とデジタル映像音声信号から所定の映像音声信号を選択する信号切換え部と、前記信号切換え部から入力されたアナログ音声信号とデジタル音声信号から所定の音声信号を選択する音声切換え部とを備えたＡＶ回路基板と、このＡＶ回路基板と複数種のデジタル回路基板と組み合わせて接続することにより複数種のデジタル放送受信回路を構成すると共に、前記ＡＶ回路基板の一角には分離が可能な割基板が配置されており、縦型チューナーを配置した課金放送を受信できないデジタル回路基板を下側に、前記ＡＶ回路基板を上側とした２層配置に組み合わせて回路構成するときは、前記割基板を分離した切り欠き部から下側の課金放送を受信できないデジタル回路基板に配置した縦型チューナーが突き出すように配置して組み合わせ、電気的に接続することにより回路構成して課金放送を受信できないデジタル放送受信回路を構成し、課金放送受信部を備えて横型チューナーを配置した課金放送を受信可能なデジタル回路基板と、前記割基板有するＡＶ回路基板とが重なるように組み合わせて電気的に接続することにより、課金放送を受信可能なデジタル放送受信回路を構成すると共に、他の電子機器とのデジタル接続のための接続機能を備えるデジタルインターフェイス部と、前記信号切換え部から入力された映像信号の補正を行なう映像補正部と、これら各部の制御を行なうマイコン部は、前記ＡＶ回路基板、または前記課金放送を受信できないデジタル回路基板、あるいは課金放送を受信可能なデジタル回路基板のいずれかに配置可能とすることを特徴とする。
【０００７】
請求項１の構成によれば、共通のＡＶ回路基板を備えたデジタル放送受信装置及び電子機器は、載置した電子部品に電源を供給する電源部と、他の電子機器との接続に供するジャックを備えるジャック部と、前記ジャック部から入力されたアナログ映像音声信号とデジタル映像音声信号から所定の映像音声信号を選択する信号切換え部と、前記信号切換え部から入力されたアナログ音声信号とデジタル音声信号から所定の音声信号を選択する音声切換え部とを備えたＡＶ回路基板と、このＡＶ回路基板と複数種のデジタル回路基板と組み合わせて接続することにより複数種のデジタル放送受信回路を構成することが出来ると共に、前記ＡＶ回路基板の一角には分離が可能な割基板が配置されており、縦型チューナーを配置した課金放送を受信できないデジタル回路基板を下側に、前記ＡＶ回路基板を上側とした２層配置に組み合わせて回路構成するときは、前記割基板を分離した切り欠き部から下側の課金放送を受信できないデジタル回路基板に配置した縦型チューナーが突き出すように配置して組み合わせすることが可能となり、電気的に接続することにより回路構成して課金放送を受信できないデジタル放送受信回路を構成することが出来る。また課金放送受信部を備えて横型チューナーを配置した課金放送を受信可能なデジタル回路基板と、前記割基板有するＡＶ回路基板とが重なるように組み合わせて電気的に接続することにより、課金放送を受信可能なデジタル放送受信回路を構成することが出来る。また、他の電子機器とのデジタル接続のための接続機能を備えるデジタルインターフェイス部と、前記信号切換え部から入力された映像信号の補正を行なう映像補正部と、これら各部の制御を行なうマイコン部は、前記ＡＶ回路基板、または前記課金放送を受信できないデジタル回路基板、あるいは課金放送を受信可能なデジタル回路基板のいずれかに配置することが出来る。
【０００８】
請求項２の共通のＡＶ回路基板を備えたデジタル放送受信装置及び電子機器は、請求項１記載の共通のＡＶ回路基板を備えたデジタル放送受信装置及び電子機器において、前記課金放送を受信できないデジタル回路基板は、該デジタル回路基板に電源を供給する電源部と、受信したアナログ放送とデジタル放送の受信信号をアナログ映像音声信号とデジタル映像音声信号に変換する縦型のアナログ／デジタルチューナーと、前記ＡＶ回路基板に配置された映像補正部から入力されたアナログ映像信号をデジタル映像信号に変換する信号変換部と、デジタル放送の映像音声信号の復号を行なうと共に該映像信号の画像の大きさを調整する映像処理部と、前記映像処理部に使用されＯＳやソフトの保存を行なう第１のメモリーと、前記第１のメモリーに保存されているソフトの作業領域や映像の置換を行なう第２のメモリーと、他のデジタル電子機器との接続に供するジャックを配置したジャック部とを備え、前記ＡＶ回路基板と電気的に接続することにより課金放送を受信できないデジタル放送受信回路を構成することを特徴とする。
【０００９】
請求項２の構成によれば、前記課金放送を受信できないデジタル回路基板は、該デジタル回路基板に電源を供給する電源部と、受信したアナログ放送とデジタル放送の受信信号をアナログ映像音声信号とデジタル映像音声信号に変換する縦型のアナログ／デジタルチューナーと、前記ＡＶ回路基板に配置された映像補正部から入力されたアナログ映像信号をデジタル映像信号に変換する信号変換部と、デジタル放送の映像音声信号の復号を行なうと共に該映像信号の画像の大きさを調整する映像処理部と、前記映像処理部に使用されＯＳやソフトの保存を行なう第１のメモリーと、前記第１のメモリーに保存されているソフトの作業領域や映像の置換を行なう第２のメモリーと、他のデジタル電子機器との接続に供するジャックを配置したジャック部とを備え、前記ＡＶ回路基板と電気的に接続することにより課金放送を受信できないデジタル放送受信回路を構成することにより、前記共通のＡＶ回路基板を備えた課金放送を受信できないデジタル放送受信装置及び電子機器を容易に得ることが出来る。
【００１０】
請求項３の共通のＡＶ回路基板を備えたデジタル放送受信装置及び電子機器は、請求項１記載の共通のＡＶ回路基板を備えたデジタル放送受信装置及び電子機器において、前記課金放送を受信可能なデジタル回路基板は、該デジタル回路基板に電源を供給する電源部と、受信したアナログ放送とデジタル放送の受信信号をアナログ映像音声信号とデジタル映像音声信号に変換する横型のアナログ／デジタルチューナーと、課金放送用のユーザーカードの挿入部を備えると共に課金放送の復号を行なう課金放送受信部と、前記ＡＶ回路基板に配置された映像補正部から入力されたアナログ映像信号をデジタル映像信号に変換する信号変換部と、デジタル放送の映像音声信号の復号を行なうと共に該映像信号の画像の大きさを調整する映像処理部と、前記映像処理部に使用されＯＳやソフトの保存を行なう第１のメモリーと、前記第１のメモリーに保存されているソフトの作業領域や映像の置換を行なう第２のメモリーと、他のデジタル電子機器との接続に供するジャックを配置したジャック部とを備え、前記ＡＶ回路基板と電気的に接続することにより課金放送を受信可能なデジタル放送受信回路を構成することを特徴とする。
【００１１】
請求項３の構成によれば、前記課金放送を受信可能なデジタル回路基板は、該デジタル回路基板に電源を供給する電源部と、受信したアナログ放送とデジタル放送の受信信号をアナログ映像音声信号とデジタル映像音声信号に変換する横型のアナログ／デジタルチューナーと、課金放送用のユーザーカードの挿入部を備えると共に課金放送の復号を行なう課金放送受信部と、前記ＡＶ回路基板に配置された映像補正部から入力されたアナログ映像信号をデジタル映像信号に変換する信号変換部と、デジタル放送の映像音声信号の復号を行なうと共に該映像信号の画像の大きさを調整する映像処理部と、前記映像処理部に使用されＯＳやソフトの保存を行なう第１のメモリーと、前記第１のメモリーに保存されているソフトの作業領域や映像の置換を行なう第２のメモリーと、他のデジタル電子機器との接続に供するジャックを配置したジャック部とを備え、前記ＡＶ回路基板と電気的に接続することにより課金放送を受信可能なデジタル放送受信回路を構成することにより、前記共通のＡＶ回路基板を備えた課金放送を受信可能なデジタル放送受信装置及び電子機器を容易に得ることが出来る。
【発明の効果】
【００１２】
請求項１の発明によれば、この共通のＡＶ回路基板を備えたデジタル放送受信装置及び電子機器は、載置した電子部品に電源を供給する電源部と、他の電子機器との接続に供するジャックを備えるジャック部と、前記ジャック部から入力されたアナログ映像音声信号とデジタル映像音声信号から所定の映像音声信号を選択する信号切換え部と、前記信号切換え部から入力されたアナログ音声信号とデジタル音声信号から所定の音声信号を選択する音声切換え部とを備えたＡＶ回路基板と、このＡＶ回路基板と複数種のデジタル回路基板と組み合わせて接続することにより複数種のデジタル放送受信回路を構成することが出来ると共に、前記ＡＶ回路基板の一角には分離が可能な割基板が配置されており、縦型チューナーを配置した課金放送を受信できないデジタル回路基板を下側に、前記ＡＶ回路基板を上側とした２層配置に組み合わせて回路構成するときは、前記割基板を分離した切り欠き部から下側の課金放送を受信できないデジタル回路基板に配置した縦型チューナーが突き出すように配置して組み合わせすることが可能となり、電気的に接続することにより回路構成して課金放送を受信できないデジタル放送受信回路を構成することが出来る。また課金放送受信部を備えて横型チューナーを配置した課金放送を受信可能なデジタル回路基板と、前記割基板有するＡＶ回路基板とが重なるように組み合わせて電気的に接続することにより、課金放送を受信可能なデジタル放送受信回路を構成することが出来る。また、他の電子機器とのデジタル接続のための接続機能を備えるデジタルインターフェイス部と、前記信号切換え部から入力された映像信号の補正を行なう映像補正部と、これら各部の制御を行なうマイコン部は、前記ＡＶ回路基板、または前記課金放送を受信できないデジタル回路基板、あるいは課金放送を受信可能なデジタル回路基板のいずれかに配置することが出来るので、前記複数の回路基板の設計における回路構成上の制限を低減することが出来る。更に、前記デジタル放送を受信する受信装置において、課金放送を受信可能なデジタル回路基板と、課金放送を受信できないデジタル回路基板とに共通使用が可能なＡＶ回路基板を得ることが可能となり、新規にデジタル放送受信装置を設けるときは互換性を有する共通に使用可能なＡＶ回路基板をもとに、新規のデジタル回路基板を設計して製作するだけでよく、前記複数種のＡＶ回路基板の設計をするための設計負荷や、電子部品の種類が多くなってしまうことによる部品管理負荷、及び複数種のＡＶ回路基板を実装する実装負荷、更には複数種のＡＶ回路基板の品質を管理して維持する品質管理負荷などが不要となり、該複数のＡＶ回路基板と前記複数種のデジタル回路基板との組み合わせによる組み立て作業負荷も軽減することにより、これらの負荷によるコストを引き下げることが出来る。
【００１３】
請求項２の発明によれば、前記課金放送を受信できないデジタル回路基板は、該デジタル回路基板に電源を供給する電源部と、受信したアナログ放送とデジタル放送の受信信号をアナログ映像音声信号とデジタル映像音声信号に変換する縦型のアナログ／デジタルチューナーと、前記ＡＶ回路基板に配置された映像補正部から入力されたアナログ映像信号をデジタル映像信号に変換する信号変換部と、デジタル放送の映像音声信号の復号を行なうと共に該映像信号の画像の大きさを調整する映像処理部と、前記映像処理部に使用されＯＳやソフトの保存を行なう第１のメモリーと、前記第１のメモリーに保存されているソフトの作業領域や映像の置換を行なう第２のメモリーと、他のデジタル電子機器との接続に供するジャックを配置したジャック部とを備え、前記ＡＶ回路基板と電気的に接続することにより、デジタル放送受信回路を構成する前記課金放送を受信できないデジタル放送受信装置及び電子機器を容易に得ることが出来る。また、新規にデジタル放送受信装置を設けようとする時は、前記互換性のある共通のＡＶ回路基板を利用して新規のデジタル回路基板を作成するだけでよく、前記共通のＡＶ回路基板を備えた新規のデジタル放送受信装置及び電子機器を容易に得ることが出来る。
【００１４】
請求項３の発明によれば、前記課金放送を受信可能なデジタル回路基板は、該デジタル回路基板に電源を供給する電源部と、受信したアナログ放送とデジタル放送の受信信号をアナログ映像音声信号とデジタル映像音声信号に変換する横型のアナログ／デジタルチューナーと、課金放送用のユーザーカードの挿入部を備えると共に課金放送の復号を行なう課金放送受信部と、前記ＡＶ回路基板に配置された映像補正部から入力されたアナログ映像信号をデジタル映像信号に変換する信号変換部と、デジタル放送の映像音声信号の復号を行なうと共に該映像信号の画像の大きさを調整する映像処理部と、前記映像処理部に使用されＯＳやソフトの保存を行なう第１のメモリーと、前記第１のメモリーに保存されているソフトの作業領域や映像の置換を行なう第２のメモリーと、他のデジタル電子機器との接続に供するジャックを配置したジャック部とを備え、前記ＡＶ回路基板と電気的に接続することにより課金放送を受信可能なデジタル放送受信回路を構成することにより、前記共通のＡＶ回路基板を備えた課金放送を受信可能なデジタル放送受信装置及び電子機器を容易に得ることが出来る。
【発明を実施するための最良の形態】
【００１５】
以上のように、本発明は、本質的には、デジタル放送を受信するデジタル放送受信装置において、課金放送を受信可能なデジタル回路基板と、課金放送を受信できないデジタル回路基板とに共通なＡＶ回路基板を用いることにより、所望の複数種の前記ＡＶ回路基板を製作する必要が無く、該ＡＶ回路基板に載置される電子部品の共通化も併せて図ることにより、電子部品の材料管理や前記ＡＶ回路基板の実装作業を効率化しすることによりコストを削減することが出来る共通のＡＶ回路基板を備えたデジタル放送受信装置及びそれを備えた電子機器を得るものであるが、以下の実施例の説明においては、前記複数のデジタル回路基板と共通のＡＶ回路基板とそれを備えたテレビにおける実施例について説明する。
【００１６】
以下、本発明を実施するための最良の形態としての実施例を図１〜図６により以下に説明する。図１、図２、図３は本発明の第一実施例を示す共通のＡＶ回路基板とそれを用いた課金放送を受信できないデジタル放送受信装置に関する説明図であり、図４、図５、図６は第二実施例を示す共通のＡＶ回路基板を用いた課金放送を受信可能なデジタル放送受信装置と課金放送を受信可能なデジタルテレビに関する説明図である。もちろん、本発明は、その発明の趣旨に反さない範囲で、実施例において説明した以外のものに対しても容易に適用可能なことは説明を要するまでもない。
【実施例１】
【００１７】
図２は課金放送を受信できないデジタルテレビ１内部の一部分を示しており、既に割基板１４が分割して切り欠かれてジャックが載置されたＡＶ回路基板１０と、縦型チューナー２６を載置した課金放送を受信できないデジタル回路基板２０とを上下に組み付ける位置関係を示す説明図である。図２にはＡＶ回路基板１０の下側に課金放送を受信できないデジタル回路基板２０が配置され、該記デジタル回路基板２０の右手前側の一角に受信したアナログ放送とデジタル放送の受信信号をアナログ映像音声信号とデジタル映像音声信号に変換する縦型のアナログ／デジタルチューナー２６が載置されており、前記ＡＶ回路基板１０の右手前側の一角で前記縦型のチューナー２６の真上となる位置には分離可能に配置された割基板１４が分離して切り欠かれたことを破線の引き出し線で示している。図２はＡＶ回路基板１０から割基板１４を分割して切り欠いたことにより、前記縦型チューナー２６を配置した課金放送を受信できないデジタル回路基板２０を下側に、前記ＡＶ回路基板１０を上側とした２層配置に組み合わせて配置することが可能となり、前記デジタル回路基板２０と前記ＡＶ回路基板を電気的に接続して回路構成することを示しており、前記下側の課金放送を受信できないデジタル回路基板２０に配置した縦型チューナー２６が、破線で示した前記割基板１４を分離して切り欠き位置から突き出して配置することが出来るので、上下に配置されたＡＶ回路基板１０と前記デジタル回路基板２０との上下間隔は狭くすることが出来るので省スペース化が可能である。また、前記ＡＶ回路基板１０には図示しない他の電子機器と接続に用いる複数のジャックが載置されたジャック部１５が配置されており、外部に配置される他の電子機器との接続を可能としている。因みに、前記課金放送を受信できないデジタル回路基板２０には、従来例において説明したとおり、高価な多層基板材が使用されているので、該多層基板材の使用面積を極力減らすために載置面積が少ない縦型チューナー２６を配置している。
【００１８】
次に図１により、前記ＡＶ回路基板１０の概略の回路構成について説明する。図１に示す本実施例においては、前記ＡＶ回路基板１０、または前記課金放送を受信できないデジタル回路基板２０、あるいは後述する課金放送を受信可能なデジタル回路基板にも配置することが出来るデジタルインターフェイス部１８と前記映像補正部１７とマイコン部１２は、前記ＡＶ回路基板１０に配置した例として以下に説明する。前記ＡＶ回路基板１０には、載置した電子部品に電源を供給する電源部１１と、他の電子機器３との接続に供するジャックを配置したジャック部１５と、他の電子機器３とのデジタル接続のための接続機能を備えるデジタルインターフェイス部１８と、前記ジャック部１５から直接入力されたアナログ映像音声信号と前記ジャック部１５からデジタルインターフェイス部１８に入力され、該デジタルインターフェイス部１８から入力されたデジタル映像音声信号から所定の映像音声信号を選択する信号切換え部１６と、前記信号切換え部１６から入力された映像信号の補正を行なう映像補正部１７と、前記信号切換え部１６から入力されたアナログ音声信号とデジタル音声信号から所定の音声信号を選択して音質の補正を行なう音声切換え及び音質補正部１３と、これら各部の制御を行なうマイコン部１２を備えており、複数種のデジタル回路基板２０、３０との接続に互換性を有し、該複数種のデジタル回路基板２０、３０と組み合わせることにより複数種のデジタル放送受信回路を構成することが出来る。また、前記ＡＶ回路基板１０の一角には分離が可能な前記割基板１４が配置されており、ＡＶ回路基板１０の下側に２層配置される課金放送を受信できないデジタル回路基板２０のように上側に突き出した縦型チューナー２６のような部品と重ねて組み付けられる場合が生じても前記割基板１４を分離して切り欠きを形成することにより前記上側に突き出した部品が突き当たらないようにされている。また、前記下側に、前記ＡＶ回路基板１０を上側とした２層配置に組み合わせて電気的に接続することにより回路構成をすることを示している。
【００１９】
続いて図１により、前記ＡＶ回路基板１０における信号の流れについて説明する。他の電子機器３からのアナログとデジタルの映像音声信号は複数のジャックからなるジャック部１５から入力し、アナログ映像音声は前記複数のジャックから入力する信号の中から所定の１つを選択する信号切換え部１６で選択される。また、デジタル映像音声信号は前記他の電子機器３との接続を行なうためにデジタルインターフェイス部１８を経由してから前記信号切換え部１６で所定の１つを選択する。この後、映像信号は映像補正部１７により信号の補正がなされ、前述のデジタル回路基板２０、３０の信号変換部２３、３３へと伝達される。また、音声信号は音声切換え及び音質補正部１３により前記外部から入力された複数の音声信号から所定の１つを選択し、低音域や高音域などの音質の補正を行なう。また、前記デジタル回路基板２０、３０の映像処理部２３、３３から入力された音声信号もこのＡＶ回路基板１０に配置された前記音声切換え部及び音質補正部１３で処理され、例えば図示しないテレビの回路を構成するテレビ用メイン基板４０のサウンドアンプ部４３と接続されれば該サウンドアンプ部４３により音声信号が増幅されて図示しないスピーカーから出力することが出来る。
【００２０】
続いて、図３により課金放送を受信できないデジタル回路基板の概略の構成について説明する。図３において、課金放送を受信できないデジタル回路基板２０には、該デジタル回路基板２０に電源を供給する電源部２１と、受信したアナログ放送とデジタル放送の受信信号をアナログ映像音声信号とデジタル映像音声信号に変換する縦型のアナログ／デジタルチューナー２６と、前記ＡＶ回路基板１０に配置された映像補正部１７から入力されたアナログ映像信号をデジタル映像信号に変換する信号変換部２２と、ＭＰＥＧ規格に基づく回路を搭載した一般にＭＰＥＧ基板と呼ばれる回路基板からなり映像音声信号の復号を行なうと共に該映像信号の画像の大きさを調整する映像処理部２３と、マイコンの管理やユーザーへの接続とその動作などを実現するＯＳ（Ｏｐｅｒａｔｉｎｇ  Ｓｙｓｔｅｍ）やソフトの保存を行なう第１のメモリー２４と、前記第１のメモリー２４に保存されているソフトの作業領域や映像の置換を行なう第２のメモリー２５と、他のデジタル電子機器３との接続に供するジャックを備えるジャック部２７とを備えている。
【００２１】
次に、図３により、前記課金放送を受信できないデジタル回路基板２０における信号の流れについて説明する。図３に示す前記課金放送を受信できないデジタル回路基板２０には右下側に縦型のアナログ／デジタルチューナー２６が配置され、受信したアナログ放送とデジタル放送の受信信号をアナログ映像音声信号とデジタル映像音声信号に変換されて映像処理部２３に伝達される。また、前記ＡＶ回路基板１０に配置された映像補正部１７から入力したアナログ映像信号は信号変換部２２によりデジタル映像信号に変換されて前記映像処理部２３に伝達される。続いて、前記映像音声信号は映像処理部２３により映像音声信号の復号が行なわれると共に該映像信号の画像の大きさが調整され、テレビ用メイン回路基板４０に配置された映像出力部４２と接続することにより図示しないテレビの表示画面に映像を表示することが出来る。また、前記映像処理部２３から前記ＡＶ回路基板１０に配置された音声切換え及び音声補正部１３に音声信号が供給可能とされると共に、前記ジャック部２７で接続される他の電子機器３に供給可能である。
【００２２】
以上により、前記課金放送を受信できないデジタル回路基板２０は前記互換性がある共通のＡＶ回路基板１０と電気的に接続することにより、課金放送を受信できないデジタル放送受信回路を構成する前記課金放送を受信できないデジタル放送受信装置２及び課金放送を受信できないデジタル放送受信回路を備えたテレビ１などの電子機器を容易に得ることが出来る。また、新規にデジタル放送受信装置２を設けようとする時は、前記互換性のある共通のＡＶ回路基板１０を利用して新規のデジタル回路基板を作成するだけでよく、前記共通のＡＶ回路基板１０を備えた新規のデジタル放送受信装置及び電子機器を容易に得ることが出来る。
【実施例２】
【００２３】
次に、本発明における第二実施例である課金放送を受信可能なデジタル回路基板と前記互換性があり共通なＡＶ回路基板との組み合わせについて、図４から図６を参照しながら説明する。
【００２４】
図４は、課金放送を受信可能なデジタルテレビ１内部の一部分を示しており、前記ＡＶ回路基板と、課金放送を受信するために課金放送受信部を配置した課金放送を受信可能なデジタル回路基板とを上下に組み付ける位置関係を示す説明図である。図４にはＡＶ回路基板１０の下側に課金放送を受信可能なデジタル回路基板３０が配置され、該課金放送を受信可能なデジタル回路基板３０の手前右側に受信したアナログ放送とデジタル放送の受信信号をアナログ映像音声信号とデジタル映像音声信号に変換する横型のアナログ／デジタルチューナー３６が、その左側に課金放送受信部３８が載置され、前記横型チューナー３６と課金放送受信部３８は前記課金放送受信部３８から放射される輻射ノイズを遮蔽するためのシールド３９で囲われている。また、前記課金放送を受信可能なデジタル回路基板３０の上側には前記ＡＶ回路基板１０があり、該ＡＶ回路基板１０の手前右側には分離可能に配置された割基板１４が既に分離して切り欠かれたことを破線で示していると共に、図示しない他の電子機器と接続を可能とするジャックが手前側にジャック部１５に載置されている。前記課金放送を受信可能なデジタル回路基板３０には前述の輻射ノイズを遮蔽するためにチューナー３６と課金放送受信部３８をシールド３９で遮蔽する必要があり、前記課金放送受信部は横広の形状をしており課金放送を受信可能なデジタル回路基板３０に対して横型に載置されるため、併設される前記チューナー３６も横型に載置することにより一体にシールド３９することを可能としている。
【００２５】
次に、図５に示す課金放送を受信可能なデジタル回路基板の概略の構成について説明する。図５において、この課金放送を受信可能なデジタル回路基板３０には、該デジタル回路基板３０に電源を供給する電源部３１と、受信したアナログ放送とデジタル放送の受信信号をアナログ映像音声信号とデジタル映像音声信号に変換する横型のアナログ／デジタルチューナー３６と、前記ＡＶ回路基板１０に配置された映像補正部１７から入力されたアナログ映像信号をデジタル映像信号に変換する信号変換部３２と、ＭＰＥＧ規格に基づく回路を搭載した一般にＭＰＥＧ基板と呼ばれる回路基板からなり映像音声信号の復号を行なうと共に該映像信号の画像の大きさを調整する映像処理部３３と、ＯＳやソフトの保存を行なう第１のメモリー３４と、前記第１のメモリー３４に保存されているソフトの作業領域や映像の置換を行なう第２のメモリー３５と、他のデジタル電子機器３との接続に供するジャックを配置したジャック部３７とを備えている。また、課金放送を受信するために課金放送用のユーザーカードの挿入部を備え、課金放送の復号化を行なう課金放送受信部３８が配置されている。
【００２６】
続いて、図５により、前記課金放送を受信可能なデジタル回路基板３０における信号の流れについて説明する。図５に示す前記課金放送を受信可能なデジタル回路基板３０には右下側に横型のアナログ／デジタルチューナー３６が配置され、受信したアナログ放送とデジタル放送の受信信号はアナログ映像音声信号とデジタル映像音声信号に変換されて、課金放送の場合は前記課金放送受信部３８に伝達されて復号され映像処理部３３に伝達されると共に課金放送以外のときは直接映像処理部３３に伝達される。また、他の電子機器３との接続を可能とする複数のジャックがジャック部３７に配置されて映像音声信号が入力することを可能としている。このジャック部３７から入力した映像音声信号は前記映像処理部３３に伝達される。更に、前記ＡＶ回路基板１０に配置された映像補正部１７から入力される映像信号は、信号変換部３２でアナログ映像信号からデジタル映像信号に変換されて映像処理部３３に伝達される。これらの映像音声信号は映像処理部３３で復号化されると共に該映像信号の画像の大きさが調整され、映像信号はテレビ用メイン回路基板４０に配置された映像出力部４２と接続することにより図示しないテレビの表示画面に映像を表示することが出来る。また、音声信号はジャック部３７で接続される他の電子機器３に供給可能とされると共に、また、前記映像処理部２３から前記ＡＶ回路基板１０に配置された音声切換え及び音声補正部１３に音声信号が供給可能である。
【００２７】
以上により、前記課金放送を受信可能なデジタル回路基板３０は前記互換性がある共通のＡＶ回路基板１０と電気的に接続することにより、課金放送を受信可能なデジタル放送受信回路を構成する前記課金放送を受信可能なデジタル放送受信装置３及びデジタル放送受信回路を備えたテレビ１などの電子機器を容易に得ることが出来る。また、新規にデジタル放送受信装置２を設けようとする時は、前記互換性のある共通のＡＶ回路基板１０を利用して新規のデジタル回路基板を作成するだけでよく、前記共通のＡＶ回路基板１０を備えた新規のデジタル放送受信装置及び電子機器を容易に得ることが出来る。
【００２８】
次に、図６により、前記課金放送を受信可能なデジタル回路基板と前記共通なＡＶ回路基板を配置した課金放送を受信可能なデジタルテレビ１について説明する。前記デジタルテレビ１には、テレビ用メイン回路基板４０と、前記共通なＡＶ回路基板１０と、前記課金放送を受信可能なデジタル回路基板３０が配置されており、前記テレビ用メイン回路基板４０には該テレビ１内部に電源を供給する電源部４１と、映像信号を出力して図示しない表示画面に表示可能とする映像出力部４２と、音声信号を増幅して図示しないスピーカーに出力するサウンドアンプ部と、前記映像出力部４２から出力された映像信号を図示しない表示画面に表示させるために偏向する偏向系部４４と、図示しない外部に配置される他の電子機器と接続を可能とするジャック部４５とが配置されており、前記テレビ用メイン回路基板４０の電源部４１から前記ＡＶ回路基板１０の電源部１１と前記課金放送を受信可能なデジタル回路基板３０の電源部３１に電源が供給される。また、前記ＡＶ回路基板１０に配置されたマイコン部１２により前記テレビ用メイン回路基板４０と前記課金放送を受信可能なデジタル回路基板３０の動作は制御される。また、信号の流れから説明すると、デジタル音声信号は前記課金放送を受信可能なデジタル回路基板３０から前記ＡＶ回路基板１０に伝達されてアナログ変換されてアナログ音声信号となり前記テレビ用メイン回路基板４０に伝達される。また、デジタル映像信号は前記課金放送を受信可能なデジタル回路基板３０でアナログ変換されてアナログ映像信号が前記テレビ用メイン基板４０に伝達される。ここに説明したデジタルテレビ１に配置されたデジタル回路基板は課金放送を受信可能なデジタル回路基板３０である必要は無く、前記課金放送を受信できないデジタル回路基板２０と置き換えて配置することが出来るので、前記課金放送を受信できないデジタル回路基板２０を配置することも可能であり、課金放送を受信できないデジタルテレビを得ることが出来る。
【００２９】
以上により、互換性を有し共通のＡＶ回路基板１０は、課金放送を受信できないデジタル回路基板と組み合わせて課金放送を受信できないデジタル回路構成とすることにより、課金放送を受信できないデジタル放送受信装置２を得ることが出来ると共に、前記デジタル回路構成をテレビのメイン回路基板４０と組み合わせることにより容易に課金放送を受信できないデジタル放送受信回路を備えたデジタルテレビ１などの電子機器を容易に得ることが出来る。また、課金放送を受信可能なデジタル回路基板３０と組み合わせてデジタル回路構成とすることにより、課金放送を受信可能なデジタル放送受信装置２を得ることが出来ると共に、前記課金放送を受信可能なデジタル回路構成をテレビのメイン回路基板４０と組み合わせることにより容易に課金放送を受信可能なデジタル放送受信回路を備えた課金放送を受信可能なデジタルテレビ１などの電子機器を容易に得ることが出来る。また、新規にデジタル放送受信装置２を設けようとする時は、前記互換性のある共通のＡＶ回路基板１０を利用して新規のデジタル回路基板を作成するだけでよく、前記共通のＡＶ回路基板１０を備えた新規のデジタル放送受信装置２及び電子機器を容易に得ることが出来る。更に、前記デジタル放送を受信可能なデジタル放送受信装置２において、課金放送を受信可能なデジタル回路基板３０と、課金放送を受信できないデジタル回路基板２０とに共通使用が可能なＡＶ回路基板１０を得ることが可能となり、新規にデジタル放送受信装置を設けるときは互換性を有する共通に使用可能なＡＶ回路基板１０をもとに、新規のデジタル回路基板を設計して製作するだけでよく、前記複数種のＡＶ回路基板１０の設計をするための設計負荷や、電子部品の種類が多くなってしまうことによる部品管理負荷、及び複数種のＡＶ回路基板１０を実装する実装負荷、更には複数種のＡＶ回路基板１０の品質を管理して維持する品質管理負荷などが不要となり、該複数のＡＶ回路基板１０と前記複数種のデジタル回路基板２０、３０との組み合わせによる組み立て作業負荷も軽減することにより、これらの負荷によるコストを引き下げることが出来る。なお、本実施例においては、前記デジタルインターフェイス部１８と前記映像補正部１７とマイコン部１２は、前記ＡＶ回路基板１０に配置した例として示したが、前記課金放送を受信できないデジタル回路基板２０、および課金放送を受信可能なデジタル回路基板３０にも配置することが出来る。
【００３０】
以上、本実施例を詳述したが、本発明は、前記実施例に限定されるものではなく、本発明の要旨の範囲内で種々の変形実施が可能である。例えば、ＡＶ回路基板１０や課金放送を受信できないデジタル回路基板２０、及び課金放送を受信可能なデジタル回路基板３０の回路構成は所望するデジタル放送を受信可能な状態であればよく、また、ＡＶ回路基板１０における割基板１４の配置も前記実施例に限定されるものではなく、適宜選定すればよい。
【図面の簡単な説明】
【００３１】
【図１】本発明の第一実施例を示すＡＶ回路基板の構成を示すブロック説明図である。
【図２】本発明の第一実施例におけるＡＶ回路基板と課金放送を受信できないデジタル回路基板を組み合わせて配置する位置関係を示す平面説明図と側面説明図である。
【図３】本発明の第一実施例における課金放送を受信できないデジタル回路基板の構成を示すブロック説明図である。
【図４】本発明の第二実施例を示すＡＶ回路基板と課金放送を受信可能なデジタル回路基板を組み合わせて配置する位置関係を示す平面説明図と側面説明図である。
【図５】本発明の第二実施例における課金放送を受信可能なデジタル回路基板の構成を示すブロック説明図である。
【図６】本発明の第二実施例におけるＡＶ回路基板と課金放送を受信可能なデジタル回路基板を配置したデジタルテレビの回路構成を示すブロック説明図である。
【符号の説明】
【００３２】
２          デジタル放送受信装置
３          他の電子機器
１０        ＡＶ回路基板
１１        電源部
１２        マイコン部
１３        音声切換え及び音質補正部
１４        割基板
１５        ジャック部
１６        信号切換え部
１７        映像補正部
１８        デジタルインターフェイス部
２０        課金放送を受信できないデジタル回路基板
２２        信号変換部
２３        映像処理部
３０        課金放送を受信可能なデジタル回路基板
３２        信号変換部
３３        映像処理部
４０        テレビ用メイン回路基板
４３        サウンドアンプ部
【図１】
2006129167.tif 000003
【図２】
2006129167.tif 000004
【図３】
2006129167.tif 000005
【図４】
2006129167.tif 000006
【図５】
2006129167.tif 000007
【図６】
2006129167.tif 000008